(57)【要約】【課題】衛生的で、簡単に装着でき、さらに、着用者が姿勢の変化を繰り返しても尿漏れを防止できる尿レシーバを提供すること。【解決手段】尿レシーバ１０は、着用者から排泄された尿を、導尿チューブを介して尿タンク内に吸引する収尿処理システムに用いられる。尿レシーバ１０は、少なくとも着用者の外尿道口を覆うように対向配置される液透過性の難通気性シート２１と、この難通気性シート２１の外尿道口とは反対側の面に配置されて難通気性シート２１の周縁部に接合される防漏シート２２と、これら難通気性シート２１および防漏シート２２の間に設けられ導尿チューブ１１が接続される吸引部２６と、難通気性シート２１の外尿道口側の周縁部に設けられ、難通気性シート２１と着用者の肌面との隙間を塞ぐギャザー部１６と、を備える。【選択図】        図４
2006026108.tif 000002
【特許請求の範囲】
【請求項１】
着用者から排泄された尿を、導尿チューブを介して尿タンク内に吸引する収尿処理システムに用いられる尿レシーバであって、
少なくとも前記着用者の外尿道口を覆うように対向配置される液透過性の難通気性シートと、
この難通気性シートの前記外尿道口とは反対側の面に配置されて前記難通気性シートの周縁部に接合される防漏部と、
これら難通気性シートおよび防漏部の間に設けられ前記導尿チューブが接続される吸引部と、
前記難通気性シートの前記外尿道口側の周縁部に設けられ、前記難通気性シートと前記着用者の肌面との隙間を塞ぐ封止手段と、を備えることを特徴とする尿レシーバ。
【請求項２】
前記封止手段は、前記難通気性シートに対して起立可能なバリヤカフで形成されることを特徴とする請求項１に記載の尿レシーバ。
【請求項３】
前記封止手段は、自由端側に前記着用者の肌に取り付け可能な接着剤層を備えることを特徴とする請求項１または２に記載の尿レシーバ。
【請求項４】
前記封止手段は、前記吸引部の長さ方向に沿って延びる伸縮可能な第１のギャザーを備え、
この第１のギャザーは、伸縮することにより前記吸引部に対して起立することを特徴とする請求項１から３のいずれかに記載の尿レシーバ。
【請求項５】
前記封止手段は、前記吸引部の幅方向に沿って延びる伸縮可能な第２のギャザーを備えることを特徴とする請求項４に記載の尿レシーバ。
【請求項６】
前記封止手段は、前記着用者に向かって逆漏斗状に起立可能であることを特徴とする請求項１から５のいずれかに記載の尿レシーバ。
【請求項７】
前記難通気性シートの前記外尿道口側の面に設けられた液透過性の表面材部と、
前記防漏部の前記難通気性シート側とは反対側の面を覆うバックシート部と、を備えることを特徴とする請求項１から６のいずれかに記載の尿レシーバ。
【請求項８】
前記難通気性シートの前記外尿道口側の面に配置された少なくとも一対の電極を備え、この電極が導通することにより、尿を検知することを特徴とする請求項１から７のいずれかに記載の尿レシーバ。
【請求項９】
前記防漏部は、カップ形状であることを特徴とする請求項１から８のいずれかに記載の尿レシーバ。
【請求項１０】
着用者から排泄された尿を、導尿チューブを介して尿タンク内に吸引する収尿処理システムであって、
請求項１から８のいずれかに記載の尿レシーバと、
この尿レシーバに前記導尿チューブを介して接続された尿タンクと、
この尿タンク内の空気を吸引することにより前記尿レシーバで受け止めた尿を吸い出して、前記尿タンクに溜める真空ポンプと、を備えることを特徴とする収尿処理システム。
【発明の詳細な説明】
【技術分野】
【０００１】
本発明は、着用者から排泄された尿を溜める尿タンクおよびこの尿タンクを備えた収尿処理装置に関し、例えば、老人、入院患者、身障者等の排尿を補助することができる。
【背景技術】
【０００２】
従来より、老人、入院患者、身障者等では、自分の意思で排尿を制御することが困難になる場合がある。この場合、排尿を補助する装置として、収尿処理装置が利用されている。
収尿処理装置は、例えば、排泄された尿を受止める尿レシーバと、この尿レシーバに導尿チューブを介して接続された尿タンクと、尿レシーバに設けられた尿検知センサと、尿検知センサで尿が検知されると、尿レシーバ内の尿を導尿チューブを介して尿タンクに圧送するポンプ機構と、を備えている（特許文献１〜４参照）。
【０００３】
特許文献１，２には、内部に空洞が形成されたカップ状の尿レシーバが示されている。この尿レシーバには、導尿チューブが接続され、サポータ等で外尿道口を覆うように配置されている。この構成によれば、排泄された尿を尿レシーバ内に溜めておき、この溜まった尿を、導尿チューブの先端から吸い出す。
【０００４】
特許文献３には、防水機能を有する軟質可撓性で覆われた舟形の外套部材と、この外套部材に内蔵されて尿を吸収する吸水性肉厚シートとを有する尿レシーバが示されている。この外套部材の内周面は、透水性シートで被覆されていて、仕切部材で排尿受け部と排便受け部とに仕切られている。
【０００５】
特許文献４には、袋状の尿レシーバが示されている。この尿レシーバの表面のうち着用者の皮膚に接触する部分は、透水性の接皮面となっている。尿レシーバの内部は、防水性の膜で仕切られて、複数のビーズが収容された導尿室が設けられている。また、防水性の膜と接皮面との間に吸水材が収容されている。接皮面には、尿レシーバ内部の導入室に連通する開口が設けられている。
【特許文献１】特開平１１−１１３９４６号公報
【特許文献２】特開２００１−２７６１０８号公報
【特許文献３】特許第２５６３２３０号
【特許文献４】特許第３１３７１３０号
【発明の開示】
【発明が解決しようとする課題】
【０００６】
しかしながら、特許文献１、２に示された構成では、尿レシーバ内の尿を導尿チューブの先端近傍まで導かなければ、吸い出すことができない。そのため、着用者の姿勢が変化すると、尿の溜める部分に導尿チューブ先端が必ずしも位置しないことになり、着用者が姿勢の変化を繰り返しているうちに、尿が漏れてしまうおそれがある。
したがって、尿レシーバから尿が漏れないように、尿レシーバを押し当てようとすると、サポータできつく締め付ける必要がある。すると、着用者が違和感を覚えるだけでなく、介護者が着用者にサポータを装着することも困難になる。
【０００７】
また、特許文献３に示された構成では、着用者が尿レシーバを装着すると、吸水性肉厚シートが着用者の外尿道口に対向する。そのため、尿レシーバに溜まった尿を全て吸い出そうとしても、吸水性肉厚シートの内部に尿が残留してしまい、非衛生的である。
また、尿レシーバが排尿受け部と排便受け部とに仕切られているので、実際には、尿を受け止める排尿受け部の面積が狭くなっており、尿レシーバを装着するのに手間がかかっていた。
【０００８】
また、特許文献４に示された構成では、外尿道口の周辺に吸収材が配置されるため、導尿室内部の尿を吸い出しても、吸収材の内部に尿が残留し、非衛生的である。
さらに、尿を導尿室に溜めるためには、外尿道口を精度よく開口に配置する必要があるため、尿レシーバを装着するのに手間がかかっていた。
【０００９】
本発明の目的は、衛生的で、簡単に装着でき、さらに、着用者が姿勢の変化を繰り返しても尿漏れを防止できる尿レシーバを提供することにある。
【課題を解決するための手段】
【００１０】
具体的には、本発明は、以下のようなものを提供する。
【００１１】
（１）  着用者から排泄された尿を、導尿チューブを介して尿タンク内に吸引する収尿処理システムに用いられる尿レシーバであって、少なくとも前記着用者の外尿道口を覆うように対向配置される液透過性の難通気性シートと、この難通気性シートの前記外尿道口とは反対側の面に配置されて前記難通気性シートの周縁部に接合される防漏部と、これら難通気性シートおよび防漏部の間に設けられ前記導尿チューブが接続される吸引部と、前記難通気性シートの前記外尿道口側の周縁部に設けられ、前記難通気性シートと前記着用者の肌面との隙間を塞ぐ封止手段と、を備えることを特徴とする尿レシーバ。
【００１２】
難通気性シートは、液体を通すが、空気を容易には通さない性質を有するシートである。これにより、尿を通過させるとともに、この尿の臭いが尿レシーバの外に拡散するのを防止できる。
防漏部は、例えば、液体、ここでは尿を通さない性質を有するシートである。
【００１３】
（１）の発明によれば、難通気性シートで着用者の外尿道口を覆うように対向配置したので、難通気性シート全面で尿を受け止めることができるから、尿レシーバと外尿道口の相対位置を気にする必要がなくなり、尿レシーバを簡単に装着できる。
【００１４】
また、難通気性シートと防漏部との間に導尿チューブが接続される吸引部を設けた。これにより、着用者から排泄された尿が難通気性シート上に到達した状態で、この吸引部に導尿チューブを介して負圧をかけると、吸引部内に負圧が均等にかかる。その結果、尿が難通気性シート表面全面から吸引部に向かって吸引され、導尿チューブを通って、吸い出される。したがって、着用者が姿勢の変化を繰り返しても、受け止めた尿が難通気性シートの一部に残存しないので、尿レシーバから尿が漏れるのを防止できる。
【００１５】
また、吸収性の材料で尿を吸収する構造ではないので、吸引部内部の尿を吸い出すことにより、尿レシーバに尿が残存しないため、衛生的である。
【００１６】
（２）  前記封止手段は、前記難通気性シートに対して起立可能なバリヤカフで形成されることを特徴とする（１）に記載の尿レシーバ。
【００１７】
（３）  前記封止手段は、自由端側に前記着用者の肌に取り付け可能な接着剤層を備えることを特徴とする（１）または（２）に記載の尿レシーバ。
【００１８】
（３）の発明によれば、封止手段の自由端側に接着剤層を設けたので、封止手段の自由端側が着用者の肌に密着し、尿の漏洩を確実に防止できる。
【００１９】
（４）  前記封止手段は、前記吸引部の長さ方向に沿って延びる伸縮可能な第１のギャザーを備え、この第１のギャザーは、伸縮することにより前記吸引部に対して起立することを特徴とする（１）から（３）のいずれかに記載の尿レシーバ。
【００２０】
（５）  前記封止手段は、前記吸引部の幅方向に沿って延びる伸縮可能な第２のギャザーを備えることを特徴とする（４）に記載の尿レシーバ。
【００２１】
（６）  前記封止手段は、前記着用者に向かって逆漏斗状に起立可能であることを特徴とする（１）から（５）のいずれかに記載の尿レシーバ。
【００２２】
（７）  前記難通気性シートの前記外尿道口側の面に設けられた液透過性の表面材部と、前記防漏部の前記難通気性シート側とは反対側の面を覆うバックシート部と、を備えることを特徴とする（１）から（６）のいずれかに記載の尿レシーバ。
【００２３】
（７）の発明によれば、難通気性シートの外尿道口側の面に液透過性の表面材部を設けたので、尿が外尿道口から大量かつ急激に排出されても、この尿を一時的に表面材部で受け止めることができるので、尿レシーバから尿が溢れるのを防止できる。
また、防漏部の難通気性シートとは反対側の面をバックシート部で覆ったので、尿レシーバから尿が漏れるのをより確実に防止できる。
【００２４】
（８）  前記難通気性シートの前記外尿道口側の面に配置された少なくとも一対の電極を備え、この電極が導通することにより、尿を検知することを特徴とする（１）から（７）のいずれかに記載の尿レシーバ。
【００２５】
（８）の発明によれば、難通気性シートの外尿道口側の面に少なくとも一対の電極を設けて、この電極を導通させることにより、尿を検知した。したがって、簡単な構造で尿を検知できるので、コストを低減できる。
【００２６】
（９）  前記防漏部は、カップ形状であることを特徴とする請求項１から８のいずれかに記載の尿レシーバ。
【００２７】
（９）の発明によれば、前記防漏部をカップ形状としたので、防漏部で着用者の外尿道口を確実に覆うことができる。よって、尿レシーバの難通気性シートでより確実に尿を受け止めて、尿漏れの発生する度合いを低減できる。
【００２８】
（１０）  着用者から排泄された尿を、導尿チューブを介して尿タンク内に吸引する収尿処理システムであって、（１）から（９）のいずれかに記載の尿レシーバと、この尿レシーバに前記導尿チューブを介して接続された尿タンクと、この尿タンク内の空気を吸引することにより前記尿レシーバで受け止めた尿を吸い出して、前記尿タンクに溜める真空ポンプと、を備えることを特徴とする収尿処理システム。
【発明の効果】
【００２９】
本発明の尿レシーバおよびこれを用いた収尿処理システムによれば、次のような効果が得られる。難通気性シートで着用者の外尿道口を覆うように対向配置したので、難通気性シート全面で尿を受け止めることができるから、尿レシーバと外尿道口の相対位置を気にする必要がなくなり、尿レシーバを簡単に装着できる。
【００３０】
また、難通気性シートと防漏部との間に導尿チューブが接続される吸引部を設けた。これにより、着用者から排泄された尿が難通気性シート上に到達した状態で、この吸引部に導尿チューブを介して負圧をかけると、吸引部内に負圧が均等にかかる。その結果、尿が難通気性シート表面全面から吸引部に向かって吸引され、導尿チューブを通って、吸い出される。したがって、着用者が姿勢の変化を繰り返しても、受け止めた尿が難通気性シートの一部に残存しないので、尿レシーバから尿が漏れるのを防止できる。
【００３１】
また、吸収性の材料で尿を吸収する構造ではないので、吸引部内部の尿を吸い出すことにより、尿レシーバに尿が残存しないため、衛生的である。
【発明を実施するための最良の形態】
【００３２】
以下、本発明の一実施形態を図面に基づいて説明する。なお、以下の実施形態の説明にあたって、同一構成要件については同一符号を付し、その説明を省略もしくは簡略化する。
〔第１実施形態〕
図１には、本発明の第１実施形態に係る収尿処理装置の模式的な斜視図が示されている。
収尿処理装置１は、着用者から排泄された尿を処理するものであって、排泄された尿を受止める尿レシーバ１０と、この尿レシーバ１０に導尿チューブ１１を介して接続された収尿処理装置本体３０と、を備えている。
【００３３】
収尿処理装置本体３０は、導尿チューブ１１に接続された尿タンク本体３１と、尿タンク本体３１に開閉可能に設けられた蓋部３２と、蓋部３２から延びて尿レシーバ１０に接続された尿検知機構３４と、を備えている。
【００３４】
尿タンク本体３１には、蓋部３２を開くことによって取り出し可能な図示しない尿タンクが収容されている。
尿検知機構３４は、尿レシーバ１０で尿を検知するものである。この尿検知機構３４は、収尿処理装置本体３０から延びる配線３４１と、この２本のコードの先端に設けられたクリップ３４２と、を備える。クリップ３４２は、尿レシーバ１０の後述する電極１３１を挟み込んでいる。
【００３５】
蓋部３２は、ロック機構３２１で尿タンク本体３１にロックされて、尿タンクを密閉する。この蓋部３２は、尿タンクに接続された真空ポンプ３２２と、尿検知機構３４からの検知信号に基づいて真空ポンプ３２を駆動させる制御装置３２３と、を備えている。
【００３６】
真空ポンプ３２２は、尿タンク本体３１内の空気を吸引することにより尿レシーバ１０で受け止めた尿を導尿チューブ１１を通して吸い出して、尿タンク本体３１に溜める。
【００３７】
制御装置３２３は、制御回路、タイマー回路、およびバッテリが内蔵されている。制御装置３２３は、尿検知機構３４から尿検知信号を受信すると、タイマー回路のタイマーおよび真空ポンプ３２２を起動させる。なお、本実施形態では、尿検知機構３４からの尿検知信号に基づいて、真空ポンプ３２２を起動させたが、これに限らず、さらに、換気を目的として、タイマーで定期的に起動させてもよいし、湿度センサで過度の湿度を検知して起動させてもよい。
なお、尿検知機構３４に流す電流は、身体に影響のないように、６〜１２Ｖの印加電圧にて、０．０１〜０．１ｍＡ程度とすることが望ましい。
【００３８】
以上の真空ポンプ３２２および制御装置３２３は、蓋部３２の上面に設けられた手動スイッチ３２４でオン／オフされる。これにより、収尿処理装置１の掃除やメンテナンスが可能である。
【００３９】
尿レシーバ１０は、柔軟性を有する材料で形成され、着用者の股間に装着されて、着用者の排尿部から排泄される尿を受け止めるものである。
図２は、尿レシーバ１０の平面図、図３は、図２のＡ−Ａ´線に沿った模式的な断面図、図４は、図２のＢ−Ｂ´線に沿った模式的な断面図である。
この尿レシーバ１０は、平板状であり、バックシート部１２、尿レシーバ本体２０、尿検知センサ部１３、表面材部１４、表面シート部１５、および、ギャザー部１６が、下から順に積層されて形成されている。なお、図３、４では、理解しやすいように、上述した各部材２０、１２〜１６が離隔した状態で表現されているが、実際には、一体となっている。
【００４０】
図５は、尿レシーバ本体２０の分解斜視図である。
尿レシーバ本体２０は、略矩形の平板状であり、液透過性の難通気性シート２１、この難通気性シート２１の着用者の外尿道口とは反対側の面に配置された防漏部２２、および、これら難通気性シート２１と防漏部２２との間に設けられた吸引部２６を有する。
【００４１】
難通気性シート２１は、ＪＩＳ  Ｌ  １０９６の６．２７．１に規定される通気性Ａ法に従って測定した通気性が、湿潤状態において、０〜１００ｃｃ／ｃｍ２／秒、好ましくは０〜５０ｃｃ／ｃｍ２／秒の範囲である。
ここで、湿潤状態とは、下記の式で算出される含水率が１００％以上の状態を意味する。
含水率＝（湿潤時のシート重量−乾燥時のシート重量）／（乾燥時のシート重量）
【００４２】
また、上述した通気性が、乾燥状態においては、２０〜２００ｃｃ／ｃｍ２／秒、好ましくは２０〜１００ｃｃ／ｃｍ２／秒、さらに好ましくは２０〜５０ｃｃ／ｃｍ２／秒の範囲である。
ここで、乾燥状態とは、２０℃、ＲＨ６０％の雰囲気中に十分な時間放置した状態を意味する。
【００４３】
吸引部２６は、難通気性シート２１および防漏部２２の間に形成された密閉空間であり、複数の空間保持材２３が収容されている。空間保持材２３は、球状であり、難通気性シート２１および防漏部２２の間隔を保持する。具体的には、難通気性シート２１および防漏部２２の間に、固定されない状態で、１段に配列されている。
尿レシーバ本体２０の吸引部２６の長さ方向一端側には、導尿チューブ１１が接続されている。具体的には、難通気性シート２１の周縁部と防漏部２２の周縁部とは、導尿チューブ１１を挟みこんだ状態で接合されている。これにより、難通気性シート２１と防漏部２２とで密閉された空間を形成するとともに、導尿チューブ１１がこの密閉空間に連通している。
なお、導尿チューブ１１のうち難通気性シート２１と防漏部２２とで挟まれる部分には、密閉ジョイント１１１が装着されている。これは、導尿チューブ１１が潰れるのを防止するとともに、難通気性シート２１と防漏部２２との接合を容易にするためである。
【００４４】
図６（ａ）は、尿検知センサ部１３の斜視図である
尿検知センサ部１３は、略平行に配置された一対の電極１３１と、この電極１３１を内包するとともに尿レシーバ本体２０の長さ方向一端側に接続された帯状の電極シート１３２と、を備えている。各電極１３１は、導体１３４と、この導体１３４の表裏面を被覆する透水性の被覆材１３５、１３６で被覆されている。
【００４５】
図６（ｂ）は、電極１３１を構成する導体１３４の断面図である。
導体１３４の裏面には、絶縁フィルムが貼り付けられている。
【００４６】
一対の電極１３１の一端は、尿レシーバ本体２０の難通気性シート２１の両側縁に沿って互いに平行に延びている。この一対の電極１３１は、離れて配置されているため、この電極１３１の間に尿が溜まると、電気的に導通することにより、尿を検知できる。一対の電極１３１の他端は、電極シート１３２の先端から露出して、尿検知機構３４のクリップ３４２に接続されている。
なお、本実施形態では、電極１３１を一対設けたが、これに限らず、尿検知センサ部１３の感度を上げるために、３本以上設けてもよい。
【００４７】
図７は、表面材部および表面シート部１５の斜視図である。
表面材部１４は、難通気性シート２１の外尿道口側の面に設けられ、液透過性の２枚のクッションシート１４１が積層されて形成されており、着用者から排泄された尿を一時的に受け止めるものである。したがって、クッションシート１４１の幅は、難通気性シート２１の幅とほぼ同一であるが好ましい。
【００４８】
表面シート部１５は、尿レシーバ本体２０の難通気性シート２１表面を覆っている。バックシート部１２は、尿が漏れるのを防止するため、尿レシーバ本体２０の防漏部２２の難通気性シート２１とは反対側の面を覆っている。これら表面シート部１５およびバックシート部１２は、ひょうたん形状であり、尿レシーバ本体２０の周縁で互いに接合されている。
【００４９】
封止手段としてのギャザー部１６は、難通気性シート２１に対して起立可能なバリヤカフで形成され、尿レシーバ本体２０の難通気性シート２１を周縁部に全周に亘って設けられ、尿レシーバ本体と着用者の肌面との隙間を塞ぐものである
ギャザー部１６は、尿レシーバ本体２０の長さ方向に沿って延びる一対の第１のギャザーとしてのサイドギャザー１６１と、尿レシーバ本体２０の幅方向に沿って延びる一対の第２のギャザーとしてのラウンドギャザー１６２と、を備える。
これらギャザー１６１、１６２は、伸縮することにより尿レシーバ本体２０に対して起立可能である。
【００５０】
ギャザー１６１、１６２の自由端側（先端側）には、着用者の肌に取り付け可能な接着剤層２７が形成されている。この接着剤層２７は、ヒドロコロイド層やヒドロゲル接着剤など、医学的に承認されたあらゆる耐水感圧接着剤を使用して形成してよい。痛みを比較的伴わずに取り付けや取り外しができると同時に、着用者の敏感な皮膚に密着する接着特性を有する接着剤としては、可塑剤を入れた架橋ポリマーで形成されて、三次元マトリックスを形成するものが適している。
【００５１】
ギャザー部１６は、肌を伝わった尿が漏れるのを防止する。特に、急激かつ大量に尿が排泄された場合に、尿を表面シート部１５で受けきれないため、有効である。なお、本実施形態では、ラウンドギャザー１６２を一対設けたが、これに限らず、背面側のラウンドギャザーのみ設けてもよい。その理由は、老人介護では、うつ伏せ状態はほとんどないためである。
【００５２】
図８は、上述した尿レシーバ１０が適用されたカバーパンツ４０の斜視図である。
カバーパンツ４０は、パンツであり、尿レシーバ１０が内蔵されている。尿レシーバ１０は、カバーパンツ４０の股間部分に、難通気性シート２１を内側にして配置されている。このとき、尿レシーバ１０は、着用者の股間に対応して長さ方向に僅かに丸まっているため、ギャザー１６１、１６２は、伸縮して内側に向かって逆漏斗状に起立している（図示省略）。したがって、このカバーパンツ４０を着用者が装着すると、尿レシーバ１０の難通気性シート２１が着用者の外尿道口を覆うように対向配置されるとともに、前身頃から導尿チューブ１１および尿検知センサ部１３が露出するようになっている。
【００５３】
なお、本実施形態では、尿レシーバ１０をカバーパンツ４０に取り付けたが、これに限らず、従来のおむつパッド、軽失禁パッド、ナプキンのように、テープ止めおむつ、パンツ型おむつ、あるいは、テキスタイルおむつに取り付けてもよい。
【００５４】
以上の収尿処理装置１は、以下のように動作する。
図９は、収尿処理装置１のフローチャートである。
尿レシーバ１０内に尿が排泄されると、尿検知センサ部１３の一対の電極１３１が尿に浸って導通し、尿が検知されると（Ｓ１）、制御装置３２３は、尿検知機構３４を介して、尿検知信号を受信する。すると、制御装置３２３は、真空ポンプ３２２を起動するとともにタイマーを起動する（Ｓ２、Ｓ３）。このタイマーは、例えば２〜３分に設定されており、このタイマーの設定時間の間、制御装置３２３は、真空ポンプ３２２を駆動する。
真空ポンプ３２２の駆動時間がタイマーの設定時間を超えており（Ｓ４）、尿検知信号を受信している場合には（Ｓ５）、引き続き、制御装置３２３は、真空ポンプ３２２を駆動する。一方、真空ポンプ３２２の駆動時間がタイマーの設定時間を超えており（Ｓ４）、尿検知信号を受信していない場合には（Ｓ５）、制御装置３２３は、真空ポンプ３２２を停止させる（Ｓ６）。
【００５５】
また、真空ポンプ３２２は、以下の機構で尿レシーバ本体２０から尿を吸引する。
着用者から排泄された尿は、表面材部１４のクッションシート１４１で一時的に受け止められ、その後、難通気性シート２１上に到達する。
この状態で、真空ポンプ３２２が駆動すると、難通気性シート２１と防漏部２２との間の吸引部２６には、真空ポンプの吸引力により、負圧がかかる。このとき、この吸引部２６が潰れないように、空間保持材２３が配置されているため、真空ポンプ３２２の真空圧力は、吸引部２６内に均等にかかる。その結果、難通気性シート２１の表面全面から尿が尿レシーバ本体２０に吸引され、導尿チューブ１１を通って、吸い出される。
【００５６】
本実施形態によれば、以下のような効果がある。
難通気性シート２１で着用者の外尿道口を覆うように対向配置したので、難通気性シート２１全面で尿を受け止めることができるから、尿レシーバ１０と外尿道口の相対位置を気にする必要がなくなり、尿レシーバ１０を簡単に装着できる。
【００５７】
難通気性シート２１と防漏部２２との間に吸引部２６を設けた。これにより、尿が難通気性シート２１表面全面から吸引部２６に向かって吸引され、導尿チューブ１１を通って、吸い出される。したがって、着用者が姿勢の変化を繰り返しても、受け止めた尿が難通気性シート２１の一部に残存しないので、尿レシーバ１０から尿が漏れるのを防止できる。
【００５８】
また、尿レシーバ１０や真空ポンプ３２２を小型化できる。よって、介護者による着用者の排泄ケアにかかる負担を軽減できる。さらに、廃棄物の量を低減できるだけでなく、従来のように着用者の臀部の下にパッドを敷く作業を最小限にできる。
【００５９】
尿レシーバ１０で尿を繰り返して吸い出すことができるので、パッドの交換回数を低減できる。さらに、おむつパッドのように尿の吸収量別に商品を製造する必要がないから、製造コストを低減できる。
【００６０】
吸収性の材料で尿を吸収する構造ではないので、吸引部２６内部の尿を吸い出すことにより、尿レシーバ１０に尿が残存しないため、肌や性器を、長時間蒸らしたり繰り返して蒸らしたりせず、衛生的である。よって、かぶれや皮膚炎を抑えることができる。
【００６１】
難通気性シート２１の外尿道口側の面に液透過性の表面材部１４を設けたので、尿が外尿道口から大量かつ急激に排出されても、この尿を一時的に表面材部１４で受け止めることができるので、尿レシーバ１０から尿が溢れるのを防止できる。
【００６２】
防漏部２２の難通気性シート２１とは反対側の面をバックシート部１２で覆ったので、尿レシーバ１０から尿が漏れるのをより確実に防止できる。
難通気性シート２１の外尿道口側の面に少なくとも一対の電極１３１を設けて、この電極１３１を導通させることにより、尿を検知した。したがって、簡単な構造で尿を検知できるので、コストを低減できる。
【００６３】
尿レシーバ１０を柔軟性を有する材料で形成したので、従来のように特殊なサポータを用いることなく、例えば、テープ止めおむつ、パンツ型おむつ、またはテキスタイルおむつに簡単に装着して使用できる。
【００６４】
以上の収尿処理装置は、具体的には、以下のように構成される。
１．収尿処理装置本体
尿タンク：容量約７５０ｃｃ
２．導尿チューブ
シリコーン製チューブ（内径φ４ｍｍ、外径φ６ｍｍ、長さ１５００ｍｍ）
【００６５】
３．尿レシーバ
３−１  バックシート部
下層、中間層、上層の３層構造とし、各層間をスパイラルＨＭＡにて簡易接合したもの
下層：ＰＰスパンボンドＮ．Ｗ  １５ｇ／ｍ２
中間層：ポリエチレン製フィルム  厚み１５μｍ
上層：ＳＭＳ  Ｎ．Ｗ  ３５ｇ／ｍ２
【００６６】
３−２  尿レシーバ本体
難通気性シート：ＳＭＳ不織布（５４ｇ／ｍ２）
空間保持材：発泡スチレン製ビーズ（直径約６ｍｍ）
防漏部：ＰＥＴ／ＰＥ（１２μｍ／４０μｍ）ラミネートフィルムで難通気性シート側にＰＥを配置したもの
密閉ジョイント：ＰＥ成形品
難通気性シートの周縁部と防漏部の周縁部とは、２ｍｍ幅のヒートシールで接着した
【００６７】
３−３  尿検知センサ部
被覆材：サーマルボンド不織布（２５ｇ／ｍ２、密度０．０１ｇ／ｃｍ３）
導体：アルミ箔（１０ｍｍ幅）
絶縁フィルム：ＰＥフィルム（１０ｍｍ幅）
【００６８】
３−４  表面材部
クッションシート：サーマルボンド不織布（２５ｇ／ｍ２）  ２枚
３−５  表面シート
サーマルボンド不織布（２５ｇ／ｍ２）
３−６  ギャザー部
サイドギャザーおよびラウンドギャザー：ナプキン用ギャザーとほぼ同一
【００６９】
〔第２実施形態〕
図１０は、本発明の第２実施形態に係る尿レシーバ１０Ａの分解斜視図である。
本実施形態では、第１実施形態における表面シートを有していない点、表面材部１４Ａの構成、および、尿レシーバ本体２０Ａの構成が、第１実施形態と異なる。
すなわち、空間保持材２３と防漏部２２との間には、通液性シート２４および支持シート２５が積層されている。通液性シート２４は、全面に亘って支持シート２５に接合されており、支持シート２５は、全面に亘って防漏部２２に接合されている。
防漏部２２および支持シートには導尿チューブ１１が挿入される挿通孔が設けられている。
【００７０】
以上の収尿処理装置は、具体的には、以下の点で第１実施形態と異なる構成である。
防漏部：ＰＥ製フィルム  厚み１５μｍ
支持シート：発泡ＰＥシート  厚み２ｍｍ
通液性シート：ナイロン製平織りメッシュシート
（線径：約０．０４ｍｍ  打込み本数：１００本／１ｃｍ）
表面材部：サーマルボンド不織布（２２５ｇ／ｍ２、厚み２０ｍｍ、密度０．０１ｇ／ｃｍ３）
【００７１】
〔第３実施形態〕
本実施形態では、表面シートを有している点、および、表面材部の構成が、第２実施形態と異なる。
すなわち、表面材部は、一時的な貯液性を向上させるため、２枚の積層されたクッションシートを備える。
【００７２】
以上の収尿処理装置は、具体的には、以下の点で第２実施形態と異なる構成である。
表面シート：サーマルボンド不織布（２５ｇ／ｍ２、密度０．０１ｇ／ｃｍ３）
クッションシート：サーマルボンド不織布（２５ｇ／ｍ２）
【００７３】
〔第４実施形態〕
図１１は、本発明の第４実施形態に係る尿レシーバ１０Ｂの縦断面図である。また、図１２は、尿レシーバ１０Ｂの横断面図である。図１３は、尿レシーバ１０Ｂの斜視図である。図１４は、尿レシーバ１０Ｂの模式的な平面図である。
本実施形態では、尿レシーバ１０Ｂの形状および構造が、第１実施形態と異なる。
【００７４】
すなわち、尿レシーバ１０Ｂは、カップ形状となっている。具体的には、尿レシーバ１０Ｂの長手方向に延びる中心線Ａは、着用者の身体の形状に沿って湾曲し、中央部分が外側に膨出している。また、尿レシーバ１０Ｂの短手方向に延びる中心線Ｂも、中央部分が外側に膨出している。尿レシーバ１０Ｂの膨出寸法は、具体的には、１０〜８０ｍｍが望ましい。また、図１４に示すように、尿レシーバ１０Ｂは、平面視で楕円形状であり、股間股ぐり域の幅寸法Ｗ１は、５０〜８０ｍｍ、長さ寸法Ｌ１は、２００〜３５０ｍｍが望ましい。なお、これに限らず、図１５に示すように、尿レシーバ１０Ｂを瓢箪形状とし、股間股ぐり域の幅寸法Ｗ２を５０〜８０ｍｍ、長さ寸法Ｌ２を２００〜３５０ｍｍとしてもよい。
【００７５】
尿レシーバ１０Ｂは、第１実施形態と同様に、導尿チューブ１１が接続されており、尿レシーバ本体２０Ｂ、尿検知センサ部１３Ｂ、および表面シート部１５Ｂを備えているが、バックシート部、表面材部およびギャザー部を備えていない。
なお、導尿チューブ１１は、例えば、塩化ビニル、シリコーン、ＰＥで形成される。チューブ内径は、例えば、１〜１０ｍｍである。
【００７６】
尿検知センサ部１３Ｂを構成する導体は、導電性材料、例えば、カーボン、アルミ、銅、銀で形成される。カーボン粉末を用いた場合、導体は、例えば、ホットメルト樹脂とカーボン粉末とを混合し、不織布上にビード塗工して形成される。なお、この場合、ホットメルト樹脂とカーボン粉末との混合割合は、カーボン粉末が５０重量％以上であることが望ましい。
【００７７】
表面シート部１５Ｂは、残存水分が少なく、密度の低いエアスルー不織布で形成されることが望ましい。具体的には、４デニールの親水処理したＰＥ／ＰＥＴ化繊で構成された密度０．００８ｇ／ｃｍ３で２０ｇ／ｍｓのエアスルー不織布が望ましい。また、このエアスルー不織布の密度は、０．００５〜０．０１ｇ／ｃｍ３が望ましい。
【００７８】
尿レシーバ本体２０Ｂは、第１実施形態と同様に、難通気性シート２１Ｂ、防漏部２２Ｂ、および吸引部２６Ｂを有する。
防漏部２２Ｂは、例えば、ポリエチレンフィルム、発泡ポリエチレン、独立気泡ウレタンフォーム、柔軟性ゴム、プラスチックで形成される。具体的には、防漏部２２Ｂは、熱成型した５０ｇ／ｍ２の発泡ポリエチレンで形成される。
【００７９】
上述した導尿チューブ１１は、尿レシーバ本体２０Ｂの上側から空間保持材２３に沿って延びて、尿レシーバ本体２０Ｂの下半分に到達している。
吸引部２６は、例えば、繊維状骨格材で形成される。具体的には、直径２〜１０ｍｍの発泡ポリエチレンビーズや、８〜１５デニールで３〜１０ｍｍ嵩のエアスルー不織布で形成される。
【００８０】
難通気性シート２１Ｂは、親水性の繊維、例えば、レーヨンで形成される。難通気性シート２１Ｂは、上述した通気性Ａ法に従って測定した通気性が、乾燥状態では、２０〜５０ｃｃ／ｃｍ２／ｓｅｃ、湿潤状態では、０〜５０ｃｃ／ｃｍ２／ｓｅｃが望ましい。具体的には、親水処理した５４ｇ／ｍ２のＳＭＳ不織布（スパンボンド層・・２２ｇ／ｍ２、メルトブローン層・・１０ｇ／ｍ２、スパンボンド層・・２２ｇ／ｍ２）で形成される。
【００８１】
なお、本発明は前記実施形態に限定されるものではなく、本発明の目的を達成できる範囲での変形、改良等は本発明に含まれるものである。
例えば、前記第１実施形態では、ギャザー部１６を難通気性シート１５の周縁部上に設けたが、これに限らず、図１６に示すように、難通気性シート１５および防漏部２２の周縁部をギャザー１６Ｃで挟み込んでもよい。このようにすれば、難通気性シート１５および防漏部２２を確実に接着できる。
また、図１７に示すように、ギャザー部１６Ｄに立ち上がりを設けず、逆漏斗状でポリウレタン製またはシリコーン製の成形品を取り付けてもよい。
【００８２】
また、前記第１実施形態では、導尿チューブ１１を尿レシーバ本体２０の長さ方向一端側に接続したが、これに限らず、図１８に示すように、防漏部２２Ｅの下面に穴を設け、この穴に導尿チューブ１１Ｅを挿入して接続してもよい。また、図１９に示すように、密閉ジョイント１１１Ｆを曲がり管とし、導尿チューブ１１Ｆを尿レシーバ本体２０の長さ方向一端側から密閉ジョイント１１１Ｆに接続して、この密閉ジョイント１１１Ｆを防漏部２２Ｆの難通気性シート２１とは反対側の面に接着してもよい。
【図面の簡単な説明】
【００８３】
【図１】本発明の第１実施形態に係る尿レシーバが適用された収尿処理装置を示す模式的な斜視図である。
【図２】前記実施形態に係る尿レシーバの平面図である。
【図３】図２のＡ−Ａ´線に沿った模式的な断面図である。
【図４】図２のＢ−Ｂ´線に沿った模式的な断面図である。
【図５】前記実施形態に係る尿レシーバ本体の分解斜視図である。
【図６】前記実施形態に係る一対の電極の斜視図およびこれら電極を構成する導体の断面図である。
【図７】前記実施形態に係る表面材部の斜視図である
【図８】前記実施形態に係る尿レシーバが適用されたカバーパンツの斜視図である。
【図９】前記実施形態に係る収尿処理装置のフローチャートである。
【図１０】本発明の第２実施形態に係る尿レシーバの分解斜視図である。
【図１１】本発明の第４実施形態に係る尿レシーバの縦断面図である。
【図１２】前記実施形態に係る尿レシーバの横断面図である。
【図１３】前記実施形態に係る尿レシーバの斜視図である。
【図１４】前記実施形態に係る尿レシーバの模式的な平面図である。
【図１５】前記実施形態に係る尿レシーバの変形例の模式的な平面図である。
【図１６】本発明の第１の変形例に係る尿レシーバの模式的な断面図である。
【図１７】本発明の第２の変形例に係る尿レシーバの模式的な断面図である。
【図１８】本発明の第３の変形例に係る尿レシーバ本体の分解斜視図である。
【図１９】本発明の第４の変形例に係る尿レシーバ本体の分解斜視図である。
【符号の説明】
【００８４】
１      収尿処理装置
１０    尿レシーバ
１１    導尿チューブ
１２    バックシート部
１４    表面材部
１６    ギャザー部（封止手段）
２０    尿レシーバ本体
２１    難通気性シート
２２    防漏部
２６    吸収部
２７    接着剤層
２３    空間保持材
１３１  電極
３２２  真空ポンプ
【図１】
2006026108.tif 000003
【図２】
2006026108.tif 000004
【図３】
2006026108.tif 000005
【図４】
2006026108.tif 000006
【図５】
2006026108.tif 000007
【図６】
2006026108.tif 000008
【図７】
2006026108.tif 000009
【図８】
2006026108.tif 000010
【図９】
2006026108.tif 000011
【図１０】
2006026108.tif 000012
【図１１】
2006026108.tif 000013
【図１２】
2006026108.tif 000014
【図１３】
2006026108.tif 000015
【図１４】
2006026108.tif 000016
【図１５】
2006026108.tif 000017
【図１６】
2006026108.tif 000018
【図１７】
2006026108.tif 000019
【図１８】
2006026108.tif 000020
【図１９】
2006026108.tif 000021
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
着用者から排泄された尿を、導尿チューブを介して尿タンク内に吸引する収尿処理システムに用いられる尿レシーバであって、
少なくとも前記着用者の外尿道口を覆うように対向配置される液透過性の難通気性シートと、
この難通気性シートの前記外尿道口とは反対側の面に配置されて前記難通気性シートの周縁部に接合される防漏部と、
これら難通気性シートおよび防漏部の間に設けられ前記導尿チューブが接続される吸引部と、
前記難通気性シートの前記外尿道口側の周縁部に設けられ、前記難通気性シートと前記着用者の肌面との隙間を塞ぐ封止手段と、
前記難通気性シートの前記外尿道口側の面には、導通することにより尿を検知する少なくとも一対の電極と、を備えることを特徴とする尿レシーバ。
【請求項２】
前記封止手段は、前記難通気性シートに対して起立可能なバリヤカフで形成されることを特徴とする請求項１に記載の尿レシーバ。
【請求項３】
前記封止手段は、自由端側に前記着用者の肌に取り付け可能な接着剤層を備えることを特徴とする請求項１または２に記載の尿レシーバ。
【請求項４】
前記封止手段は、前記吸引部の長さ方向に沿って延びる伸縮可能な第１のギャザーを備え、
この第１のギャザーは、伸縮することにより前記吸引部に対して起立することを特徴とする請求項１から３のいずれかに記載の尿レシーバ。
【請求項５】
前記封止手段は、前記吸引部の幅方向に沿って延びる伸縮可能な第２のギャザーを備えることを特徴とする請求項４に記載の尿レシーバ。
【請求項６】
前記封止手段は、前記着用者に向かって逆漏斗状に起立可能であることを特徴とする請求項１から５のいずれかに記載の尿レシーバ。
【請求項７】
前記難通気性シートの前記外尿道口側の面に設けられた液透過性の表面材部と、
前記防漏部の前記難通気性シート側とは反対側の面を覆うバックシート部と、を備えることを特徴とする請求項１から６のいずれかに記載の尿レシーバ。
【請求項８】
前記吸引部には、複数の球状の空間保持材が配置されていることを特徴とする請求項１から７のいずれかに記載の尿レシーバ。
【請求項９】
前記防漏部は、カップ形状であることを特徴とする請求項１から８のいずれかに記載の尿レシーバ。
【請求項１０】
着用者から排泄された尿を、導尿チューブを介して尿タンク内に吸引する収尿処理システムであって、
請求項１から９のいずれかに記載の尿レシーバと、
この尿レシーバに前記導尿チューブを介して接続された尿タンクと、
この尿タンク内の空気を吸引することにより前記尿レシーバで受け止めた尿を吸い出して、前記尿タンクに溜める真空ポンプと、を備えることを特徴とする収尿処理システム。